(57)【要約】【課題】実際に雪面を滑降しているようなトレーニング環境を実現することができるシンプルな構成の雪面滑走スポーツ用のトレーニング装置を提供する。【解決手段】基台１８に対して左右方向に移動可能な第一移動体２０と、第一移動体２０に対して左右方向に移動可能な第二移動台２２を備える。使用者の足が固定される上板５６と、上板５６を支持して第二移動体２２上に固定する上板支持具とで構成された足載せ台２４を備える。基台１８には、第一移動体２０を左向きに付勢する左向き付勢バネ３６と、右向きに付勢する右向き付勢バネ３８とが一対に設けられる。第一移動体２０は、第二移動体２２の移動終端位置を規定するストッパ５２ａ，５２ｂを備える。前記上板支持具は、上板５６に左側に傾ける力が付与されると、上板５６の左側端部を軸にして右側端部を上昇させ、右側に傾ける力が付与されると、上板５６の右側端部を軸にして左側端部を上昇させる。【選択図】図２
2014108321.tif 000002
【特許請求の範囲】
【請求項１】
基台に取り付けられ、基台に対して左右方向に移動可能な第一移動体と、
前記第一移動体に取り付けられ、前記第一移動体に対して前記左右方向に移動可能な第二移動台と、
使用者の足が固定される上板、及び前記上板を支持して前記第二移動体上に固定する上板支持具で構成された足載せ台とを備え、
前記基台には、前記第一移動体を左向きに付勢する左向き付勢バネと、前記第一移動体を右向きに付勢する右向き付勢バネとが設けられ、
前記第一移動体には、前記第二移動体が移動する左右の終端位置を規定するストッパが設けられ、そのストッパにより、前記第二移動体が移動可能な範囲が、前記第一移動体が移動可能な範囲よりも短く制限され、
前記上板支持具は、前記上板に対して左側に傾けようとする力が付与されると、前記上板の左側端部を軸にして右側端部を上昇させ、前記上板に対して右側に傾けようとする力が付与されると、前記上板の前記右側端部を軸にして前記左側端部を上昇させることを特徴とする雪面滑走スポーツ用のトレーニング装置。
【請求項２】
前記足載せ台は、前記上板、前記上板と左右方向の幅寸法が同様の中板、及び下板とを順に重ね、前記中板の幅方向の一端部が、前記下板に第一ヒンジを介して回動自在に連結され、前記中板及び前記上板の幅方向の他端部同士が、第二ヒンジを介して回動自在に連結され、前記下板が前記第二移動体に固定されて成る請求項１記載の雪面滑走スポーツ用のトレーニング装置。
【請求項３】
前記第二移動体が、前記上板支持具の一部の部材として兼用されている請求項２記載の雪面滑走スポーツ用のトレーニング装置。
【請求項４】
前記左向き付勢バネは、それぞれバネ定数が異なる複数のコイルバネを直列に配して構成され、前記第一移動体が右方向に移動すると、左向き付勢バネによる付勢力が段階的に強くなり、
前記右向き付勢バネは、それぞれバネ定数が異なる複数のコイルバネを直列に配して構成され、前記第一移動体が左方向に移動すると、右向き付勢バネによる付勢力が段階的に強くなる請求項１記載の雪面滑走スポーツ用のトレーニング装置。
【請求項５】
前記左向き及び右向き付勢バネは、それぞれ前記左右方向に収縮可能に配置されたコイル状のバネであり、
前記第一移動体には、前記左向き付勢バネの左端部及び右向き付勢バネの右端部を押圧する付勢バネ押圧部が設けられ、
前記基台には、前記左向き付勢バネの右端部を保持する右端保持部と、前記右端保持部が移動すると、前記右端保持部を元の位置に復帰させるように付勢する右端側緩衝用バネと、前記右向き付勢バネの左端部を保持する左端保持部と、前記左端保持部が移動する、前記左端保持部を元の位置に復帰させるように付勢する左端側緩衝用バネとが設けられ、
前記左向き付勢バネが前記付勢バネ押圧部に押され、前記左向き付勢バネの収縮限界に達すると、前記右端側緩衝用バネの変位により前記右端保持部が右側に移動し、前記右端保持部に加わる衝撃が吸収され、
前記右向き付勢バネが前記付勢バネ押圧部に押され、前記右向き付勢バネの収縮限界に達すると、前記左端側緩衝用バネの変位により前記左端保持部が左側に移動し、前記左端保持部に加わる衝撃が吸収される請求項１又は４記載の雪面滑走スポーツ用のトレーニング装置。
【請求項６】
スキーによる雪面滑走のトレーニングに使用され、前記第二移動体及び前記足載せ台が独立して２組設けられ、左側の前記足載せ台には左足用の足固定具が取り付けられ、右側の前記足載せ台には右足用の足固定具が取り付けられている請求項１乃至５のいずれか記載の雪面滑走スポーツ用のトレーニング装置。
【請求項７】
前記各足固定具は、スキー板を装着した状態で使用者の足を固定するものであり、
前記上板の左右方向の幅寸法が、前記スキー板の幅寸法に設定されている請求項６記載の雪面滑走スポーツ用のトレーニング装置。
【請求項８】
スノーボードによる雪面滑走のトレーニングに使用され、前記第二移動体及び前記足載せ台が１組設けられ、前記足載せ台には使用者の右足用及び左足用の足固定具が取り付けられている請求項１乃至５のいずれか記載の雪面滑走スポーツ用のトレーニング装置。
【請求項９】
前記足固定具は、スノーボード板を装着した状態で使用者の足を固定するものであり、
前記上板の左右方向の幅寸法が、前記スノーボード板の幅寸法に設定されている請求項８記載の雪面滑走スポーツ用のトレーニング装置。
【発明の詳細な説明】
【技術分野】
【０００１】
この発明は、スキー又はスノーボード等で雪面を滑走する際のターン動作や体重移動の練習を行うための雪面滑走スポーツ用のトレーニング装置に関する。
【背景技術】
【０００２】
従来、この種のトレーニング装置として、例えば特許文献１に開示されているように、上方に膨らんだ円弧状に形成された一対のレールと、両レール上に移動可能な移動台と、移動台上に取り付けられた一対の足載せ台と、レールの長手方向中央側に向けての復元力を移動台に与える復元力発生手段とを備えたスキー練習装置があった。足載せ台は、中央部下面に設けた回動軸を介して移動台に取り付けられ、前後方向及び左右方向に回動可能に取り付けられている。例えば、図１２に示すように、使用者の体重移動によって移動台１０が右方向に移動すると、足載せ台１２に対して左側に傾けようとする力が付与され、回動軸１４を中心にして左側に傾く。また、復元力発生手段として、バネ定数が異なる第１及び第２引っ張りばねを使用し、復元力を複数に変化させる構成が開示されている。
【０００３】
この他、特許文献２に開示されているように、使用者の足を保持し、横方向に往復移動可能に設けられた保持台と、保持台が行程端に移動したとき該保持台に抵抗力を付与する緩衝器とを備えたスキー等のトレーニングマシンがあった。保持台は、上面にスキー靴が固定される支持台と、レール上を横方向に移動可能な取付台とを備え、支持台が曲面状のすべり軸受を介して取付台の上面側に取り付けられている。例えば、使用者の体重移動によって取付台が右方向に移動すると、支持台に対して左側に傾けようとする力が付与され、すべり軸受の曲面に沿ってスライドして左側に傾く。また、取付台は、一対のばねを使用した復帰機構により、レールの中央位置に戻す向きに付勢されている。さらに、緩衝器として、ロッドの基端部が所定のシリンダ室内に配された油圧式の緩衝器が例示され、緩衝器がレール等の各部材の周囲を取り囲む本体の内壁に取り付けられ、取付台が行程端に達するとロッドの先端部が取付台に接触して取付台を押し戻す向きに付勢する構成が開示されている。
【先行技術文献】
【特許文献】
【０００４】
【特許文献１】特開平６−９１０２８号公報
【特許文献２】実開昭６３−６５４８２号公報
【発明の概要】
【発明が解決しようとする課題】
【０００５】
スキーの上級者等は、多くの場合、早く滑るためのフォーム作りやフォームの修正等を行う目的でこの種のトレーニング装置を使用する。したがって、特に、ターン動作やターンの方向を切り替える動作が重要であり、実際に雪面を滑降しているのに近い状況を再現することが求められる。
【０００６】
しかし、特許文献１のスキー練習装置は、足載せ台が回動軸を中心にシーソーのように揺動して傾く構造であり、特許文献２のトレーニングマシンは、支持台がすべり軸受の曲面に沿って移動して傾く構造なので、いずれの場合も、ターン動作をしたとき「スキー板の側端部で雪面にエッジを立てている」という感覚が得られない。
【０００７】
また、特許文献１のスキー練習装置の場合、足載せ台に対して、常に復元力発生手段からの力が加わる（付勢されないのは、足載せ台がレール中央の位置を通過する瞬間だけである）ので、ターンの方向を切り替える動作をしたとき「体勢を切り替える短い時間、雪面からスキー板に対する力（反力）が小さくなる」という抜重の感覚を再現することが難しい。特許文献２のトレーニングマシンの場合も、この問題を十分に解決することができない。
【０００８】
本発明は、上記背景技術に鑑みて成されたものであり、実際に雪面を滑降しているようなトレーニング環境を実現することができるシンプルな構成の雪面滑走スポーツ用のトレーニング装置を提供することを目的とする。
【課題を解決するための手段】
【０００９】
本発明は、基台に取り付けられ、基台に対して左右方向に移動可能な第一移動体と、前記第一移動体に取り付けられ、前記第一移動体に対して前記左右方向に移動可能な第二移動台と、使用者の足が固定される上板、及び前記上板を支持して前記第二移動体上に固定する上板支持具で構成された足載せ台とを備え、
前記基台には、前記第一移動体を左向きに付勢する左向き付勢バネと、前記第一移動体を右向きに付勢する右向き付勢バネとが設けられ、前記第一移動体には、前記第二移動体が移動する左右の終端位置を規定するストッパが設けられ、そのストッパにより、前記第二移動体が移動可能な範囲が、前記第一移動体が移動可能な範囲よりも短く制限され、
前記上板支持具は、前記上板に対して左側に傾けようとする力が付与されると、前記上板の左側端部を軸にして右側端部を上昇させ、前記上板に対して右側に傾けようとする力が付与されると、前記上板の前記右側端部を軸にして前記左側端部を上昇させる雪面滑走スポーツ用のトレーニング装置である。
【００１０】
前記足載せ台は、前記上板、前記上板と左右方向の幅寸法が同様の中板、及び下板とを順に重ね、前記中板の幅方向の一端部が、前記下板に第一ヒンジを介して回動自在に連結され、前記中板及び前記上板の幅方向の他端部同士が、第二ヒンジを介して回動自在に連結され、前記下板が前記第二移動体に固定されて成る。また、前記第二移動体が、前記上板支持具の一部の部材として兼用されていてもよい。
【００１１】
前記左向き付勢バネは、それぞれバネ定数が異なる複数のコイルバネを直列に配して構成され、前記第一移動体が右方向に移動すると、左向き付勢バネによる付勢力が段階的に強くなり、前記右向き付勢バネは、それぞれバネ定数が異なる複数のコイルバネを直列に配して構成され、前記第一移動体が左方向に移動すると、右向き付勢バネによる付勢力が段階的に強くなる構造にしてもよい。
【００１２】
前記左向き及び右向き付勢バネは、それぞれ前記左右方向に収縮可能に配置されたコイル状のバネであり、前記第一移動体には、前記左向き付勢バネの左端部及び右向き付勢バネの右端部を押圧する付勢バネ押圧部が設けられ、前記基台には、前記左向き付勢バネの右端部を保持する右端保持部と、前記右端保持部が移動すると、前記右端保持部を元の位置に復帰させるように付勢する右端側緩衝用バネと、前記右向き付勢バネの左端部を保持する左端保持部と、前記左端保持部が移動する、前記左端保持部を元の位置に復帰させるように付勢する左端側緩衝用バネとが設けられ、
前記左向き付勢バネが前記付勢バネ押圧部に押され、前記左向き付勢バネの収縮限界に達すると、前記右端側緩衝用バネの変位により前記右端保持部が右側に移動し、前記右端保持部に加わる衝撃が吸収され、
前記右向き付勢バネが前記付勢バネ押圧部に押され、前記右向き付勢バネの収縮限界に達すると、前記左端側緩衝用バネの変位により前記左端保持部が左側に移動し、前記左端保持部に加わる衝撃が吸収される構造にしてもよい。
【００１３】
また、スキーによる雪面滑走のトレーニングに使用する場合、前記第二移動体及び前記足載せ台が独立して２組設けられ、左側の前記足載せ台には左足用の足固定具が取り付けられ、右側の前記足載せ台には右足用の足固定具が取り付けられている。また、前記各足固定具は、スキー板を装着した状態で使用者の足を固定するものであり、前記上板の左右方向の幅寸法が、前記スキー板の幅寸法に設定されている。
【００１４】
スノーボードによる雪面滑走のトレーニングに使用する場合、前記第二移動体及び前記足載せ台が１組設けられ、前記足載せ台には使用者の右足用及び左足用の足固定具が取り付けられている。また、前記足固定具は、スノーボード板を装着した状態で使用者の足を固定するものであり、前記上板の左右方向の幅寸法が、前記スノーボード板の幅寸法に設定されている。
【発明の効果】
【００１５】
本発明の雪面滑走スポーツ用のトレーニング装置は、使用者の足を支持する上板取り付け具の特徴的な構造により、ターン動作を行うと、実際に「スキー板の側端部で雪面にエッジを立てている」ような感覚が得られる。また、第二移動体が第一移動体に対して自由に移動できる構造により、ターンの方向を切り替える動作を行う際、「体勢を切り替える短い時間、雪面からスキー板に対する力（反力）が小さくなる」という抜重の感覚を、実際に近い形で得ることができる。さらに、第二移動体が移動可能な距離や、右向き及び左向き付勢バネによる付勢力を適宜調整することによって、初心者から上級者まで、各人の技術力に見合ったトレーニング環境を自在に作り出すことができる。
【図面の簡単な説明】
【００１６】
【図１】本発明の雪面滑走スポーツ用のトレーニング装置の第一実施形態を使用している様子を示す図である。
【図２】第一実施形態の全体構造を示す正面図（ａ）、平面図（ｂ）
【図３】第一実施形態の基台の部分を示す正面図（ａ）、平面図（ｂ）である。
【図４】第一実施形態の第一移動体を示す正面図（ａ）、平面図（ｂ）、右側面図（ｃ）である。
【図５】第一実施形態の第二移動体及び足載せ台を示す正面図（ａ）、平面図（ｂ）、右側面図（ｃ）である。
【図６】第一実施形態の足載せ台の動作を説明する正面図（ａ），（ｂ）である。
【図７】第一実施形態の基台の動作を説明する平面図（ａ），（ｂ），（ｃ）である。
【図８】本発明の雪面滑走スポーツ用のトレーニング装置の第二実施形態の外観を示す正面図（ａ）、平面図（ｂ）である。
【図９】第二実施形態の基台を示す正面図（ａ）、平面図（ｂ）である。
【図１０】第二実施形態の足載せ台の動作を説明する正面図（ａ），（ｂ）である。
【図１１】第二実施形態の基台の動作を説明する平面図（ａ），（ｂ），（ｃ）である。
【図１２】従来の雪面滑走スポーツ用のトレーニング装置の足載せ台の動作を説明する正面図である。
【発明を実施するための形態】
【００１７】
以下、本発明の雪面滑走スポーツ用のトレーニング装置の第一実施形態について、図１〜図７に基づいて説明する。第一実施形態のトレーニング装置１６は、図１に示すように、スキーによる雪面滑走のトレーニングに使用される装置である。
【００１８】
トレーニング装置１６は、図２に示すように、基台１８、第一移動体２０、第二移動体２２、足載せ台２４で構成されている。基台１８は、図３に示すように、レール２６に２つのスライダ２８ａ，２８ｂを取り付けて成る２つのリニアガイド３０を一対に備えている。スライダ２８ａ，２８ｂは、レール２６上を低摩擦で往復移動することができる。一対のリニアガイド３０は、互いのレール２６が連結フレーム３２で連結されて平行になっており、各レール２６に設けた脚部３３により略水平に支持されている。以下、基台１８が設置された状態で、レール２６の長手方向を左右方向と称し、２つのレール２６が対向する方向を前後方向と称する。
【００１９】
さらに基台１８には、一対のレール２６の間に、図３において左右方向に長いシャフト３４が取り付けられ、シャフト３４の外側に、左向き付勢バネ３６と右向き付勢バネ３８とが設けられている。シャフト３４の長さは、レール２６とほぼ同様である。
【００２０】
左向き付勢バネ３６は、バネ定数が異なる３つのコイルバネ４０（４０(1)，４０(2)，４０(3)）で構成され、シャフト３４に直列に挿通され、各コイルバネ４０が一律の方向（左右方向）に伸縮する構造になっている。ここでは、コイルバネ４０(1)のバネ定数が最も小さく、コイルバネ４０(3)のバネ定数が最も大きい。左向き付勢バネ３６の右端部３６ａは、シャフト３４の一端に固定された板状の右端保持部４２ａによって保持され、反対側の左端部３６ｂは、後述する第一移動体２０の付勢バネ押圧部４４に当接している。また、隣り合うコイルバネ４０の間には、左右方向に移動自在な仕切り板４５が入れられ、挟持されている。左向き付勢バネ３６は、第一移動体２０を左向きに（レール２６の中央位置に向けて）付勢する働きをする。
【００２１】
右向き付勢バネ３８は、左向き付勢バネ３６と同様に、３つのコイルバネ４０（４０(1)，４０(2)，４０(3)）で構成され、シャフト３４に直列に挿通することによって、各コイルバネ４０が一律の方向（左右方向）に伸縮する構造になっている。右向き付勢バネ３８の左端部３８ｂは、シャフト３４の他端に固定された板状の左端保持部４２ｂによって保持され、反対側の右端部３８ａは、後述する第一移動体２０の付勢バネ押圧部４４に当接している。また、隣り合うコイルバネ４０の間には、上記と同様に、仕切り板４５が入れられている。右向き付勢バネ３８は、第一移動体２０を右向きに（レール２６の中央位置に向けて）付勢する働きをする。
【００２２】
第一移動体２０は、図４に示すように、レール４６に２つのスライダ４８ａ，４８ｂを取り付けた２つのリニアガイド５０を一対に備えている。レール４６は、基台１８のレール２６よりも短く、スライダ４８ａ，４８ｂは、レール４６上を低摩擦で往復移動することができる。一対のリニアガイド５０は、互いのレール４６が付勢バネ押圧部４４で互いに連結されて平行になっている。付勢バネ押圧部４４は、僅かに屈曲したフレームであり、中央部に、シャフト３４をゆとりを持って挿通できるシャフト挿通孔４４ａが形成されている。また、レール４６の左右の端部にはストッパ５２ａ，５２ｂが取り付けられ、後述する第二移動体２２が接触すると、それ以上移動できないように制限する。
【００２３】
第一移動体２０は、図２に示すように、付勢バネ押圧部４４のシャフト挿通孔４４ａの内側にシャフト３４が挿通され、シャフト挿通孔４４ａの周縁部が左向き付勢バネ３６の左端部３６ｂと右向き付勢バネ３８の右端部３８ａに当接し、挟まれた状態になる。そして、一対のレール４６が基台１８のレール２６と平行な向きに配され、スライダ２８ａ，２８ｂの上面に取り付けられ、略水平に支持される。したがって、第一移動体２０は、左右方向に移動可能であり、第一移動体２０がレール２６の中央位置から右側に移動すると、左向き付勢バネ３６が付勢バネ押圧部４４に押されて収縮し、第一移動体２０を左向き付勢する。同様に、第一移動体２０がレール２６の中央位置から左側に移動すると、右向き付勢バネ３８が付勢バネ押圧部４４に押されて収縮し、第一移動体２０を右向き付勢する。
【００２４】
第二移動体２２は、上面に足載せ台２４が固定される板材である。第二移動体２２には、２つの足載せ台２４が取り付けられ、図５に示すように、片方の足（スキー靴を履いた足）を２つの足載せ台２４で支える。足載せ台２４は、足固定具５４が上面に取り付けられた略矩形の薄手の上板５６と、上板５６を支持して第二移動体２０上に固定する上板支持具とで構成されている。上板５６の幅寸法は、実際のスキー板の幅寸法に設定されている。上板支持具は、上板５６とほぼ同形状の薄手の中板５８及び下板６０を順番に重ね、中板５８と下板６０の幅方向の一端部同士が第一ヒンジ６２を介して回動自在に連結し、中板５８と上板５６の幅方向の他端部同士が第二ヒンジ６４を介して回動自在に連結した構造になっており、下板６０が第二移動体２２の上面に固定されている。２つの足載せ台２４は、第二移動体２２上に身体の前後方向に並べて配置され、一方の足固定具５４がつま先部分を、他方の足固定具５４が踵部分を固定し、第一、第二ヒンジ６２，６４がスキー靴の外側と内側に各々位置するようになっている。通常、スキー靴の底面は硬くて平坦なので、スキー靴を固定した状態で、２つの上板５６が面一になる。
【００２５】
第二移動体２２及び足載せ台２４は、図２に示すように、右足用と左足用に２組設けられ、右足用の第二移動体２２が第一移動体２０のスライダ４８ａ，４８ａの上面に取り付けられ、左足用の第二移動体２２が第一移動体２０のスライダ４８ｂ，４８ｂの上面に取り付けられることにより、それぞれ独立して左右方向に移動可能になる。ここでは、「ターンのときに左足と右足が近くなり過ぎないフォームを身につける」という内容のトレーニングを行うため、図２に示すように、２つの第二移動体２２を伸縮自在な連結バネ６５で連結してある。連結バネ６５は、例えば上級者が使用するとき等、必要なければ省略しても構わない。第二移動体２２が移動する左右の終端位置は、ストッパ５２ａ，５２ｂで規定されている。すなわち、第二移動体２２は、ストッパ５２ａ，５２ｂに接触しない内側の範囲を移動することができる。
【００２６】
足載せ台２４の上板支持具（中板５８、下板６０、第一ヒンジ６２、第二ヒンジ６４）は、上板５６に対して左側に傾けようとする力が付与されると、図６（ａ）に示すように、上板５６の左側端部の第二ヒンジ６４を軸にして右側端部を上昇させる。反対に、上板５６に対して右側に傾けようとする力が付与されると、図６（ｂ）に示すように、中板５８の右側端部の第一ヒンジ６２により、上板５６の右側端部を軸にして左側端部上昇させる。したがって、上板５６は、傾く向きや角度が変化しても、最も低い部分の高さがほぼ一定になる。
【００２７】
次に、トレーニング装置１６の動作を説明する。トレーニング装置１６の初期状態は、図２に示すように、左向き及び右向き付勢バネ３６，３８からの付勢により、第一移動体２０がレール２６の中央位置に静止している。スキー靴を履いた使用者は、まず、対応する足固定具５４に左右の足を固定し、一対の足載せ台２４の上に乗る。
【００２８】
次に、使用者が左側ターンを開始しようとする際には、図示しないストックや支柱等を頼りにして、重心を一旦右側に移すとともに体重を右足に移動させた後、上体を左側に傾斜させる。すると、第二移動体２２が第一移動体２０のレール４６上を右向きに移動し始める。このとき、第一移動体２０は、左向き及び右向き付勢バネ３６，３８からの付勢を受けて、ほぼ初期位置に保持されたままである。
【００２９】
第二移動体２２がさらに移動してレール４６のストッパ５２ａに接触すると、使用者の重心移動による付勢力が第一移動体２０に加わり、第一移動体２０がレール２６上を右向きに移動し、左向き付勢バネ３６が収縮し始める。図７（ａ）は左向き付勢バネ３６の初期状態を示しており、付勢バネ押圧部４４によって左端部３６ｂが押圧されると、図７（ｂ）に示すよう、３つのコイルバネ４０(1)，４０(2)，４０(3)がそれぞれ収縮する。収縮量はバネ定数が小さいコイルバネ４０(1)が最も大きい。第一移動体２０がさらに右向きに移動すると、図７（ｃ）に示すように、やがてコイルバネ４０(1)が収縮限界に達し、その後はコイルバネ４０(2)，４０(3)だけが収縮する。
【００３０】
左側ターンにおいて、使用者が身体のバランスを保ちつつ上体を左側に傾けると、図６（ａ）に示すように、上板５６に対して左側に傾けようとする力が加わり、上板５６が、左側端部の第二ヒンジ６４を軸にして左側に傾く。そして、第一移動体２０がレール２６の中央位置より右側に移動し、使用者の身体全体が右側へ移動しつつ、左右の足には右向きの力がかかり、その反力として左向き付勢バネ３６による弾発力を受ける。このとき、図６使用者は、左右の足に対する左向きの付勢力（左向き付勢バネ３６の弾発力）を、常に上板５６の左側端部で受ける形になる。
【００３１】
上板５６が傾くときの軸となる左側端部は、スキー板の左側端部（エッジ金具の部分）に相当する。したがって、使用者は、「スキー板の左側端部で雪面にエッジを立てている」という感覚を得ることができる。
【００３２】
左向き付勢バネ３６の収縮量が大きくなると弾発力が大きくなり、第一移動体２０に対する左向きの付勢力が徐々に強くなる。この後、左側ターンを終了して右側ターンへ切り替える際、必要に応じてストックや支柱を利用して上体を起こし、重心を左側に移すとともに体重を徐々に左足に移動させて、いわゆる抜重動作を開始する。この状態で、左向きの付勢力が、使用者による右向きの力よりも強くなり、第一移動体２０の移動方向が左向きに反転し、レール２６の中央位置に向けて押し戻される。
【００３３】
第一移動体２０がレール２６の中央の位置に近づき、使用者による左側ターンから右側ターンへの動作移行が終了する頃には、上体よりも右側にあった左右の足が、上体の左側に移動し、第一移動体２０がレール２６の中央付近の位置を通過する頃には、使用者の身体は第一移動体２０と共に左向きに移動する。このときには身体全体の移動速度は、第一移動体２０の移動速度に近づく。一方、左右の足は、第一移動体２０に対して移動する第二移動体２２上に固定され、第一移動体２０に対して自由に移動させることができるので、左右の足を、上体の移動速度を超える速度で上体の左側まで移動させる動作が可能になる。したがって、右側ターンに移行する際、「体勢を切り替える短い時間、雪面からスキー板に対する力（反力）が小さくなる」という抜重の感覚を、実際に近い形で得ることができる。
【００３４】
その後、上記とは左右を逆にして、第二移動体２２と第一移動体２０がレール２６の中央位置よりも左側に移動し、右向き付勢バネ３８が収縮し、やがて右向きに押し戻される、という一連の動作が行われる。
【００３５】
以上説明したように、トレーニング装置１６は、使用者の足を支持する上板取り付け具の特徴的な構造により、スキーのターン動作を行う際、及びターンの方向を切り替える動作を行う際に、実際に雪面を滑走しているのに近い感覚を作り出すことができる。さらに、第二移動体２２が第一移動体２０上を移動可能な距離又は範囲と、右向き及び左向き付勢バネによる付勢力（３つのコイルバネ４０のバネ定数）とを適宜調整することにより、使用者（初心者から上級者まで）の技術力に見合ったトレーニング環境を自在に作り出すことができる。
【００３６】
次に、この発明の雪面滑走スポーツ用のトレーニング装置の第二実施形態について、図８〜図１１に基づいて説明する。ここで、第一実施形態のトレーニング装置１６と同様の構成は、同一の符号を付して説明を省略する。第二実施形態のトレーニング装置６６は、スノーボードによる雪面滑走のトレーニングに使用される装置であり、図８に示すように、基台６８、第一移動体２０、第二移動体７０、及び足載せ台７２で構成されている。第一移動体２０は、上述した図４の第一移動体２０と同じものである。
【００３７】
基台６８は、図３の基台１８と類似した構造であるが、左向き付勢バネ３６の右端部３６ａを保持する固定式の右端保持部４２ａに代えて、可動式の右端保持部７４ａが設けられ、右向き付勢バネ３８の左端部３８ｂを保持する固定式の左端保持部４２ｂに代えて、可動式の左端保持部７４ｂが設けられている点で構成が異なる。右端及び左端保持部７４ａ，７４ｂは、例えば、使用者がターン動作を失敗して第一移動体２０が強く当たったときに、衝撃を吸収する方向に移動することができる。
【００３８】
右端保持部７４ａは、図９に示すように、一対のレール２６の右側の端面に当接する係止板７６を有し、係止板７６の両端のやや内側の位置に、レール２６の中央位置に向かって真っ直ぐな延設部７８が一対に設けられている。係止板７６は、その中央位置に形成されたシャフト挿通孔８０が形成され、その内側に長いシャフト３４がゆとりを持って挿通されている。同様に、左端保持部７４ｂは、一対のレール２６の左側の端面に当接して係止される係止板７６を有し、係止板７６の両端のやや内側の位置に、レールの中央位置に向かって真っ直ぐな延設部７８が一対に設けられている。この係止板７６にもシャフト挿通孔８０が形成され、内側に長いシャフト３４がゆとりを持って挿通されている。
【００３９】
左端保持部７４ａと右端保持部７４ｂは、延設部７８の先端部同士が緩衝用バネ８２を介して互いに連結され、緩衝用バネ８２が収縮する付勢によって互いに引き寄せられ、右側及び左側の係止板７６が対応するレール２６の端面に強く当接した状態で係止されている。緩衝用バネ８２のバネ定数は、右向き及び左向き付勢バネ３６，３８（コイルバネ４０(1)，４０(2)，４０(3)）に比べて十分大きい。
【００４０】
第二移動体７０は、上面に足載せ台２４が固定される板材である。この実施形態はスノーボードのトレーニング用の装置なので、第二移動体７０が１つだけ設けられている。第二移動体７０上の足載せ台７２は１つであり、右足と左足（スノーボード靴を履いた足）の両方を支える。足載せ台７２は、図５の足載せ台２４と同様に、上板５６、中板５８、下板６０、第一及び第二ヒンジ６２，６４で構成され、上板５６の上面に４つの足固定具５４が取り付けてある。４つの足固定具５４は、左右に並ぶ２つが組になって右足のつま先部分と踵部分を固定し、残りの２つが組になって左足のつま先部分と踵部分を固定するようになっている。上板５６の左右方向の幅寸法は、スノーボード板の幅寸法に設定されている。
【００４１】
第二移動体７０及び足載せ台７２は、第二移動体７０が第一移動体２０の４つのスライダ４８ａ，４８ａ，４８ｂ，４８ｂの上に取り付けられることにより、左右方向に移動可能になる。第二移動体７０が移動する左右の終端位置は、ストッパ５２ａ，５２ｂで規定されている。すなわち、第二移動体７０は、ストッパ５２ａ，５２ｂに接触しない内側の範囲を移動することができる。なお、図面上において足の向きは移動方向になっているが、第二移動体７０のスライダ４８ａ，４８ｂへの取付方向や足載せ台７２の第二移動体７０への取り付け方向、又は足固定具５４の方向は、使用者の好みに合わせて、図示しない調整溝とネジにより適宜設定することができる。
【００４２】
足載せ台７２の上板支持具（中板５８、下板６０、第一ヒンジ６２、第二ヒンジ６４）は、上板５６に対して左側に傾けようとする力が付与されると、図１０（ａ）に示すように、上板５６の左側端部の第二ヒンジ６４を軸にして右側端部を上昇させる。反対に、上板５６に対して右側に傾けようとする力が付与されると、図１０（ｂ）に示すように、中板５８の右側端部の第一ヒンジ６２により、上板５６の右側端部を軸にして左側端部上昇させる。したがって、上板５６は、傾く向きや角度が変化しても、最も低い部分の高さがほぼ一定になる。この動作は、図６の足載せ台２４とほぼ同じである。
【００４３】
次に、トレーニング装置６６の動作を説明する。なお、第二移動体７０や足載せ台７２の動作は、上記のトレーニング装置１６と同様なので、ここでは、可動式の右端保持部４２ａ，４２ｂの動作を中心に説明する。
【００４４】
トレーニング装置６６の初期状態は、図８に示すように、左向き及び右向き付勢バネ３６，３８からの付勢により、第一移動体２０がレール２６の中央位置に静止している。また、右端及び左端保持部７４ａ，７４ｂの係止板７６は、それぞれレール２６の端面に当接して強く係止されている。スノーボード靴を履いた使用者は、まず、対応する足固定具５４に左右の足を固定し、足載せ台７２の上に乗る。
【００４５】
次に、使用者が左側ターンを開始しようと体勢を変え、重心を左側に移動させる。すると、第二移動体７２が第一移動体２０のレール４６上を右向きに移動する。このとき、第一移動体２０は、左向き及び右向き付勢バネ３６，３８からの付勢を受け、初期位置に保持されたままである。また、右端保持部７４ｂも、緩衝用バネ８２からの付勢により、初期位置に保持される。
【００４６】
第二移動体７２がさらに移動してレール４６のストッパ５２ａに接触すると、使用者の重心移動による付勢が第一移動体２０に加わり、第一移動体２０がレール２６上を右向きに移動し、左向き付勢バネ３６が収縮し始める。図１１（ａ）は左向き付勢バネ３６の初期状態を示しており、付勢バネ押圧部４４によって左端部３６ｂが押圧されると、図１１（ｂ）に示すよう、３つのコイルバネ４０(1)，４０(2)，４０(3)がそれぞれ収縮する。収縮量はバネ定数が小さいコイルバネ４０(1)が最も大きく、既にこの状態で収縮限界に達している。第一移動体２０がさらに右向きに移動し、３つのコイルバネ４０が全て収縮限界に達すると、図１１（ｃ）に示すように、最もバネ定数が大きい緩衝用バネ８２が伸びて右端保持部７４ａが右向きに移動し、右端保持部７４ａに加わる衝撃が吸収される。
【００４７】
使用者が右側ターンを行ったときは、反対側の左端保持部７４ｂ及び緩衝用バネ８２が同様に動作し、左端保持部７４ｂに加わる衝撃が吸収される。
【００４８】
以上のように、トレーニング装置６６は、スノーボードで雪面を滑走するトレーニングに使用され、スキー用のトレーニング装置１６と同様の作用効果を得ることができる。さらに、可動式の右端及び左端保持部７４ａ，７４ｂを設けることによって、例えば、使用者がターン動作を失敗して、第一移動体２０が右左側保持部７４ａ，７４ｂに強く当たったとしても、緩衝用バネ８２の作用によって衝撃が吸収され、基台６８又は第一移動体２０が破損する等の事故が防止できるので、非常に安全である。また、基台６８のレール２６を長くしなくても安全性が確保されるので、装置全体の小型化が容易であり、狭いスペースにも設置できるようになる。
【００４９】
なお、この発明の雪面滑走スポーツ用のトレーニング装置は、上記実施形態に限定されるものではない。例えば、基台に対して第一移動体を移動可能にする構造は、上記実施形態では２つのリニアガイドが使用されているが、リニアガイドの数（又は、スライダの数）を増減してもよいし、リニアガイド以外に、第一移動体に、タイヤやローラを設けて、床面等の接地面に対して移動可能に設けてもよい。第一移動体に対して第二移動体を移動可能にする構造についても同様である。
【００５０】
また、左向き及び右向き付勢バネは、上記実施形態では各々３つのコイルバネで構成されているが、コイルバネの数は自由に変更することができる。また、上記の動作が可能であれば、コイルバネ以外のバネ材を使用してもよい。
【００５１】
また、足載せ台の上板支持具は、上記実施形態の下板として、第二移動体と兼用してもよい。また、上板支持具は、上記実施形態のように中板、下板、第一及びヒンジを組み合わせて成る構造に限定されず、上板に対して左側に傾けようとする力が付与されると、上板の左側端部を軸にして右側端部を上昇させ、上板に対して右側に傾けようとする力が付与されると、前記上板の前記右側端部を軸にして前記左側端部上昇させる動作が可能であれば、その他の構造に変更しても構わない。
【００５２】
また、使用者の足を固定する足固定具は、素足を固定するもの、靴（スキー靴、運動靴など）を履いた足を固定するもの、スキー板又はスノーボード板の固定具により靴を固定して足を固定するものであってもよい。
【００５３】
また、図８のトレーニング装置６６の場合、緩衝用バネ８２は、右端側緩衝用バネ（右端保持部７４ａを元の位置に復帰させるためのバネ）であり、左端側緩衝用バネ（左端保持部７４ｂを元の位置に復帰させるためのバネ）でもあるので構成がシンプルであるが、例えば、右端側緩衝用バネと左端側緩衝用バネを別個に設けた構造にしてもよい。
【符号の説明】
【００５４】
１６，６６  トレーニング装置
１８，６８  基台
２０  第一移動体
２２、７０  第二移動体
２４，７２  足載せ台
２６，４６  レール
２８ａ，２８ｂ，４８ａ，４８ｂ  スライダ
３６  左向き付勢バネ
３８  右向き付勢バネ
４０，４０(1)，４０(2)，４０(3)  コイルバネ
４２ａ，７４ａ  右端保持部
４２ｂ，７４ｂ  左端保持部
４４  付勢バネ押圧部
５２ａ，５２ｂ  ストッパ
５４  足固定具
５６  上板
５８  中板
６０  下板
６２  第一ヒンジ
６４  第二ヒンジ
８２  緩衝用バネ
【図１】
2014108321.tif 000003
【図２】
2014108321.tif 000004
【図３】
2014108321.tif 000005
【図４】
2014108321.tif 000006
【図５】
2014108321.tif 000007
【図６】
2014108321.tif 000008
【図７】
2014108321.tif 000009
【図８】
2014108321.tif 000010
【図９】
2014108321.tif 000011
【図１０】
2014108321.tif 000012
【図１１】
2014108321.tif 000013
【図１２】
2014108321.tif 000014